(57)【要約】【課題】より簡易な構造で電子部品の放熱性を向上すること。【解決手段】電子部品を実装した基板と、前記基板を収容する基板ケースと、を備えた遊技台において、前記基板ケースは、その一部に放熱部材を有し、前記電子部品のうち、放熱対象部品と対向する位置に前記放熱部材が位置していることを特徴とする。【選択図】図４
2011160837.tif 000002
【特許請求の範囲】
【請求項１】
電子部品を実装した基板と、
前記基板を収容する基板ケースと、
を備えた遊技台において、
前記基板ケースは、その一部に放熱部材を有し、
前記電子部品のうち、放熱対象部品と対向する位置に前記放熱部材が位置していることを特徴とする遊技台。
【請求項２】
前記基板の表面及び裏面にそれぞれ電子部品が実装され、
前記放熱対象部品を前記表面及び裏面の一方に実装したことを特徴とする請求項１に記載の遊技台。
【請求項３】
前記基板ケースは、互いに分離可能に組み付けられる第１及び第２ケース部材を備え、
前記第１ケース部材は前記基板の前記表面及び裏面のうちの前記一方側を覆い、
前記第２ケース部材は前記基板の前記表面及び裏面のうちの前記他方側を覆い、
前記放熱部材は、前記第１ケース部材の少なくとも一部を構成し、かつ、前記放熱対象部品と対向する位置に位置していることを特徴とする請求項２に記載の遊技台。
【請求項４】
前記第２ケース部材は透明の部材からなり、
前記基板の前記表面及び裏面の前記他方に、その遊技台の種類に固有の電子部品が実装されることを特徴とする請求項３に記載の遊技台。
【請求項５】
前記遊技台の筐体の一部に設けられた放熱部を備え、
前記基板ケースは、前記放熱部に前記放熱部材が対向するように設置されたことを特徴とする請求項１乃至３のいずれか１項に記載の遊技台。
【発明の詳細な説明】
【技術分野】
【０００１】
本発明は、スロットマシン（パチスロ）、パチンコ機等の遊技台に関し、特に電子部品の放熱技術に関する。
【背景技術】
【０００２】
スロットマシンやパチンコ機等の遊技台では、遊技台の各種制御を行う電子回路基板を備えている。電子回路基板に実装される電子部品の中には発熱を伴う電子部品もあり、その放熱が必要とされる。一方、遊技台の電子回路基板は、不正行為の防止や、主制御部と副制御部との区別等を目的として、基板ケースに収容されて遊技台に取り付けられている。このため、電子部品の放熱性が必ずしもよくない場合がある。そこで、例えば、特許文献１にはケース内の換気を促す仕切壁をケース内に設けたものが提案されている。
【先行技術文献】
【特許文献】
【０００３】
【特許文献１】特開２００８−１８８１２５号公報
【発明の概要】
【発明が解決しようとする課題】
【０００４】
しかし、ケース内に仕切壁を設けるとケースの構造が複雑化する場合があり、より簡易な構造で放熱性を向上することが要望されている。
【０００５】
本発明の目的は、より簡易な構造で電子部品の放熱性を向上することにある。
【課題を解決するための手段】
【０００６】
本発明によれば、電子部品を実装した基板と、前記基板を収容する基板ケースと、を備えた遊技台において、前記基板ケースは、その一部に放熱部材を有し、前記電子部品のうち、放熱対象部品と対向する位置に前記放熱部材が位置していることを特徴とする遊技台が提供される。
【発明の効果】
【０００７】
本発明によれば、より簡易な構造で電子部品の放熱性を向上することができる。
【図面の簡単な説明】
【０００８】
【図１】本発明の一実施形態に係るスロットマシン１００の外観斜視図。
【図２】前面扉１０２を開けた状態のスロットマシン１００を示す正面図。
【図３】（ａ）は基板ケース２２０周辺の拡大図、（ｂ）は図３（ａ）の線Ｘ−Ｘに沿う断面図。
【図４】基板ケース２２０の分解斜視図。
【図５】基板ケース２２０及びヒートシンク２４２ａの取り付け構造を示す分解斜視図。
【図６】本体１０１の背面側の斜視図。
【図７】（ａ）及び（ｂ）は基板ケース２２０の他の構成例を示す断面図。
【図８】基板ケース２２０の他の構成例を示す分解斜視図。
【図９】基板ケース２２０の取り付け構造を示す分解斜視図。
【図１０】本体１０１の背面側の斜視図。
【発明を実施するための形態】
【０００９】
＜第１実施形態＞
図１は本発明の一実施形態に係るスロットマシン１００の外観斜視図である。本実施形態ではスロットマシンに本発明を適用した例を例示するが、本発明はパチンコ機等、他の遊技台にも適用可能である。
【００１０】
＜全体構成＞
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組み合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１４】
告知ランプ１２３は、例えば、入賞役の内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。メダル投入口１４１に投入されたメダルは、スロットマシン１００の内部に設けられたメダルセレクタを通過し、正規メダルの選別がなされると共に、メダルの通過が検出される。
【００１７】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１８】
スタートレバー１３５は、リール１１０乃至１１２の回転を開始させるためのレバー型のスイッチである。即ち、メダル投入口１３４に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２１】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２２】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２３】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。
【００２４】
また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２５】
図２は、前面扉１０２を開けた状態のスロットマシン１００を示す正面図である。本体１０１は、上面板２６１、左側の側面板２６０、右側の側面板２６０、下面板２６４および背面板２４２で囲われ、前面に開口する箱体（筐体）を備える。本体１０１の内部には、背面板２４２の上部に設けた通風口２４９と重ならない位置に、内部に主制御基板を収容した基板ケース２１０と、内部に副制御基板を収容した基板ケース２２０と、を備える。
【００２６】
下面板２６４には、メダル払出装置１８１（バケットに溜まったメダルを払出す装置）が配設され、このメダル払出装置１８１の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して各制御基板等に供給する。さらには、外部からの電源が断たれた後も所定の部品（例えば、主制御基板や副制御基板に設けられるＲＡＭ等）に所定の期間（例えば１０日間）電源を供給するための蓄電回路（例えばコンデンサ）を備えている。
【００２７】
メダル払出装置１８１の右側には、メダル補助収納庫２４０が配設してあり、この背後にはオーバーフロー端子が配設されている（図示省略）。電源装置２５２には、電源コード２５２ａを接続する電源コード接続部が設けられ、ここに接続された電源コード２６４が、本体１０１の背面板２４２に開設した電源コード用穴２６２を通して外部に延出している。
【００２８】
前面扉１０２は、本体１０１の左側の側面板２６０にヒンジ装置２７６を介して蝶着され、図柄表示窓１１３の上部には、演出装置１６０や上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１８０に対応する位置には低音スピーカ２７７を設けている。
【００２９】
係る構成のスロットマシン１００では、遊技者がメダルを投入し、スタートレバー１３５に対して開始操作を行うと、リール１１０乃至１１２が一斉に回転すると共に入賞役の内部抽選が行われる。続いて、ストップボタン１３７乃至１３９に対する遊技者の各停止操作が行われると、対応するリールの回転を停止させる。このとき、内部抽選結果に応じたリールの停止制御が行われる。そして、全リール１１０乃至１１２停止時にこれらのリールにより表示された図柄の組み合わせがいずれかの入賞役に対応する図柄の組み合わせであった場合にはその入賞役に入賞し、入賞した入賞役にメダルの払い出しが定められている場合はメダルが払い出される。
【００３０】
このようなスロットマシン１００の遊技の制御は、基板ケース２１０に収容され、ＣＰＵ等を搭載した主制御基板により行われる。基板ケース２２０に収容された副制御基板は、主として演出に関わる制御を行い、代表的には演出装置１６０の制御を行う。本実施形態では、基板ケース２２０が以下に述べる放熱構造を有している。なお、本実施形態では基板ケース２２０にこの放熱構造を採用したが、基板ケース２１０や、電源回路基板を収容した電源ボックス、ランプ等の基板を収容したランプカバー等に、この放熱構造を採用することも可能である。
【００３１】
＜放熱構造＞
基板ケース２２０の放熱構造について説明する。図３（ａ）は基板ケース２２０周辺の拡大図、図３（ｂ）は図３（ａ）の線Ｘ−Ｘに沿う断面図である。図４は基板ケース２２０の分解斜視図である。基板ケース２２０はヒートシンク２４２ａを介して背面板２４２ａに取り付けられている。図５は基板ケース２２０及びヒートシンク２４２ａの取り付け構造を示す分解斜視図、図６は本体１０１の背面側の斜視図である。
【００３２】
基板ケース２２０は、箱型の中空体であって、互いに分離可能に組み付けられる上ケース部材１０と、下ケース部材２０と、を備える。上ケース部材１０は、副制御基板３０の表面及び裏面のうちの一方側（本実施形態では表面側）を覆い、下ケース部材２０は副制御基板３０の表面及びのうちの他方側（本実施形態では裏面側）を覆う。
【００３３】
基板ケース２２０は、その一部に放熱部材を有する。本実施形態の場合、下ケース部材２０の全部が放熱部材である。放熱部材としては、放熱性が高い材料であれば何でもよく、アルミや銅等の金属材料のほか、セラミックス、高熱伝導性樹脂等が挙げられる。本実施形態の場合、下ケース部材２０はアルミ製である。基板ケース２２０全体を放熱部材で構成することも可能であるが、そうすると基板ケース２２０全体が熱くなる場合があり、配線の取り回しや配置レイアウトに苦慮する場合がある。このため、基板ケース２２０の一部を放熱部材とした。
【００３４】
上ケース部材１０は透明のプラスチック製である。上ケース部材１０は有色透明でも無色透明でもいずれでもよい。上ケース部材１０を透明としたことで、基板ケース２２０内に収容された副制御基板３０を外部から目視でき、特に本実施形態の場合、副制御基板３０の表面を外部から目視できる。
【００３５】
副制御基板３０の表裏面のうち、下ケース部材２０側となる裏面には、放熱対象の電子部品３２、３３ａ乃至３３ｅが実装されており、放熱部材である下ケース部材２０が対向するようにしている。放熱対象の電子部品３２、３３ａ乃至３３ｅは、その発熱の程度が比較的高いもの、例えば、モータドライバ、音源ＩＣ、コンデンサ、ＶＤＰ（画像表示プロセッサ）等である。
【００３６】
放熱対象の電子部品と放熱部材とが対向した配置とすることで、放熱対象の電子部品３２、３３ａ乃至３３ｅが発する熱が下ケース部材２０を介して放熱される。基板ケース２２０の一部を放熱部材とすることで、部品数の増加等を最小限にして、比較的簡易な構造で電子部品の放熱性を向上することができる。特に、本実施形態では、下ケース部材２０全体が放熱部材であるため、より効果的に放熱することができる。更に、本実施形態では、放熱対象の電子部品３２、３３ａ乃至３３ｅを絶縁性の熱伝導部材３４ａ、３４ｂを介して下ケース部材２０に接するようにしているので、絶縁性を確保した上で、したケース部材２０への熱の伝導性を向上できる。熱伝導部材３４ａ、３４ｂは例えばシリコンである。
【００３７】
本実施形態の場合、副制御基板３０は、その両面に電子部品が実装されている。下ケース部材２０側となる裏面には、放熱対象の電子部品３２、３３ａ乃至３３ｅのみを実装しているが、放熱対象の電子部品以外の電子部品を実装してもよい。尤も、放熱対象の電子部品のみを実装する方が、放熱対象の電子部品以外の電子部品への熱の影響を低減できる。副制御基板３０の裏面には、スロットマシン１００の複数の機種に渡って共通に用いられる電子部品が実装されることが好ましい。下ケース部材２０は上ケース部材１０のように透明ではないため、一旦基板ケース２２０内に副制御基板３０が収容されると、その裏面側は外部から目視しずらい。したがって、機種毎の区別を必要とする電子部品は副制御基板３０の裏面に実装しない方が好ましい。
【００３８】
副制御基板３０の表裏面のうち、上ケース部材１０側となる表面には、放熱対象の電子部品以外の電子部品が実装されている。副制御基板３０の表面には、そのスロットマシン１００自体に固有の、又は、スロットマシン１００の種類（機種）に固有の電子部品であって、放熱対象ではない電子部品が実装されることが好ましい。例えば、図３（ａ）に示す電子部品３１は、このスロットマシン１００の機種専用のＲＯＭである。上ケース部材１０は透明であるため、電子部品３１は基板ケース２２０の外部からその存在が確認でき、スロットマシン１００の組立作業等において、製品自体又は機種と、部品との対応関係を確認し易い。
【００３９】
副制御基板３０は、衝撃緩衝用のスプリング３６や絶縁性のステー３５を介して下ケース部材２０に取り付けられる。そして、下ケース部材２０に上ケース部材１０が係止されて基板ケース２２０が完成する。
【００４０】
本実施形態の場合、図５及び６に示すように、基板ケース２２０は、ヒートシンク２４２ａを介して本体１０１の背面板２４２に取り付けられる。ヒートシンク２４２ａは放熱部材からなり、本実施形態の場合、格子状をなしている。本実施形態の場合、ヒートシンク２４２ａは背面板２４２に設けた開口部２４２ｂに取り付けられ、本体１０１の筐体の一部に設けられた放熱部を構成している。基板ケース２２０は、特にしたケース部材２０がヒートシンク２４２ａに面している。ヒートシンク２４２ａによる放熱効果によって、更に副制御基板３０の電子部品の放熱性を向上することができる。
【００４１】
＜第２実施形態＞
上記第１実施形態では、下ケース部材２０全体を放熱部材としたが、その一部に設けてもよい。また、上ケース部材１０と下ケース部材２０のそれぞれの一部に放熱部材を設けてもよい。図７（ａ）及び（ｂ）は基板ケース２２０の他の構成例を示す断面図である。上記第１実施形態と同様の構成については同じ符号を付して説明を省略する。
【００４２】
図７（ａ）の例では、下ケース部材２０’の一部に放熱部材２１が設けられている。同図の例の場合、副制御基板３０の裏面に実装された複数の放熱対象の電子部品３７の位置に応じて、これらにそれぞれ対向するように複数の放熱部材２１が設けられている。なお、放熱部材２１と電子部品３７とは絶縁性の熱伝導部材３４を介して接している。
【００４３】
図７（ｂ）の例では、副制御基板３０の表裏面にそれぞれ放熱対象の電子部品３７が実装された例であり、上ケース部材１０’、下ケース部材２０’がそれぞれ放熱部材１１、２１を有している。そして、電子部品３７に対向するように各放熱部材１１、２１が設けられている。なお、放熱部材２１と電子部品３７とは絶縁性の熱伝導部材３４を介して接している。
【００４４】
このように、基板ケース２２０のうち、放熱対象の電子部品に対向する位置のみに放熱部材を設けてもよい。図７（ａ）及び（ｂ）の例の場合、放熱部材１１、２１は、基板ケース２２０に開口を設けてこれを塞ぐように基板ケース２２０に接着したり、或いは、該開口を塞ぐように基板ケース２２０と係合する構成とすることで、形成することができる。また、上記第１実施形態及び本実施形態では、副制御基板３０がその表裏面に電子部品が実装される場合を例示したが、片面に電子部品が実装される構成でもよいことはいうまでもない。
【００４５】
＜第３実施形態＞
上記第１実施形態では、ヒートシンク２４と下ケース部材２０とを別部材としたが、これらを一体化してもよい。図８は基板ケース２２０の他の構成例を示す分解斜視図、図９は基板ケース２２０の取り付け構造を示す分解斜視図、図１０は本体１０１の背面側の斜視図である。上記第１実施形態と同様の構成については同じ符号を付して説明を省略する。
【００４６】
本実施形態の場合、基板ケース２２０が、上ケース部材１０と、下ケース部材２０に代わる下ケース部材４０と、を組み合わせて構成される。下ケース部材４０は全体が放熱部材であるが、上記第１実施形態のヒートシンク２４２ａと同様の格子状の部分を有している。そして、基板ケース２２０は、図９に示すように、下ケース部材４０が開口部２４２ｂに臨むようにして、絶縁性を有する部材４１を介して本体１０１の背面板２４２に取り付けられる。本実施形態では、上記第１実施形態の構成と同様の効果を得られながら、部品点数を削減できるという効果がある。
【図１】
2011160837.tif 000003
【図２】
2011160837.tif 000004
【図３】
2011160837.tif 000005
【図４】
2011160837.tif 000006
【図５】
2011160837.tif 000007
【図６】
2011160837.tif 000008
【図７】
2011160837.tif 000009
【図８】
2011160837.tif 000010
【図９】
2011160837.tif 000011
【図１０】
2011160837.tif 000012